(57)【要約】【課題】構造簡素であっても保存に必要な機能を備え、かつ保存の便を有効に向上させる簡易綴じ具を提供する。【解決手段】一対の綴じ片２１、４１の間に紙葉類を位置づけ、一方の綴じ片４１に基端部を接続した綴じ足４２、４３の先端部を紙葉類に設けた綴穴及び他方の綴じ片２１に設けた綴じ足挿通部２２、２３に挿し通すことによって、綴じ片２１、４１間に紙葉類を挟み込むようにし、前記綴じ足４２、４３を、延伸方向に並行な折線４４、４５に沿って少なくとも一部を折り曲げた状態で紙葉類を綴じ込むことができる形態のものとする。【選択図】図２
2004255750.tif 000002
【特許請求の範囲】
【請求項１】
一対の綴じ片の間に紙葉類を位置づけ、一方の綴じ片に基端部を接続した綴じ足の先端部を紙葉類に設けた綴穴及び他方の綴じ片に設けた綴じ足挿通部に挿し通すことによって、綴じ片間に紙葉類を挟み込むようにしたものであって、
前記綴じ足を、延伸方向に並行な折線に沿って少なくとも一部を折り曲げた状態で紙葉類を綴じ込むことができる形態のものにしたことを特徴とする簡易綴じ具。
【請求項２】
一対の綴じ片の間に紙葉類を位置づけ、一方の綴じ片に基端部を接続した綴じ足の先端部を紙葉類に設けた綴穴及び他方の綴じ片に設けた綴じ足挿通部に挿し通すことによって、綴じ片間に紙葉類を挟み込むようにしたものであって、
前記綴じ足を、綴じ足挿通部を通過させた位置で少なくとも一部を当該綴じ足挿通部の開口よりも大きく拡開させることができる形態のものにしたことを特徴とする簡易綴じ具。
【請求項３】
一対の綴じ片の間に紙葉類を位置づけ、一方の綴じ片に基端部を接続した綴じ足の先端部を紙葉類に設けた綴穴及び他方の綴じ片に設けた綴じ足挿通部に挿し通すことによって、綴じ片間に紙葉類を挟み込むようにしたものであって、
前記綴じ足を、パイプ状綴じ杆及びこのパイプ状綴じ杆に挿入されるピン状綴じ杆を具備する他の綴じ具の当該パイプ状綴じ杆内に挿し込んだ状態でそこに綴じ込まれている紙葉類をこの綴じ具に移し替えることができる形態のものにしたことを特徴とする簡易綴じ具。
【請求項４】
一対の綴じ片の間に紙葉類を位置づけ、一方の綴じ片に基端部を接続した綴じ足の先端部を紙葉類に設けた綴穴及び他方の綴じ片に設けた綴じ足挿通部に挿し通すことによって、綴じ片間に紙葉類を挟み込むようにしたものであって、
前記綴じ足を、延伸方向に並行な折線に沿って少なくとも一部を折り曲げた状態で紙葉類を綴じ込むことができ、かつ、綴じ足挿通部を通過させた位置で少なくとも一部を当該綴じ足挿通部の開口よりも大きく拡開させることができる形態のものにしたことを特徴とする簡易綴じ具。
【請求項５】
一対の綴じ片の間に紙葉類を位置づけ、一方の綴じ片に基端部を接続した綴じ足の先端部を紙葉類に設けた綴穴及び他方の綴じ片に設けた綴じ足挿通部に挿し通すことによって、綴じ片間に紙葉類を挟み込むようにしたものであって、
前記綴じ足を、延伸方向に並行な折線に沿って少なくとも一部を折り曲げた状態で紙葉類を綴じ込むことができ、かつ、パイプ状綴じ杆及びこのパイプ状綴じ杆に挿入されるピン状綴じ杆を具備する他の綴じ具の当該パイプ状綴じ杆内に挿し込んだ状態でそこに綴じ込まれている紙葉類をこの綴じ具に移し替えることができる形態のものにしたことを特徴とする簡易綴じ具。
【請求項６】
一対の綴じ片の間に紙葉類を位置づけ、一方の綴じ片に基端部を接続した綴じ足の先端部を紙葉類に設けた綴穴及び他方の綴じ片に設けた綴じ足挿通部に挿し通すことによって、綴じ片間に紙葉類を挟み込むようにしたものであって、
前記綴じ足を、綴じ足挿通部を通過させた位置で少なくとも一部を当該綴じ足挿通部の開口よりも大きく拡開させることができ、かつ、パイプ状綴じ杆及びこのパイプ状綴じ杆に挿入されるピン状綴じ杆を具備する他の綴じ具の当該パイプ状綴じ杆内に挿し込んだ状態でそこに綴じ込まれている紙葉類をこの綴じ具に移し替えることができる形態のものにしたことを特徴とする簡易綴じ具。
【請求項７】
一対の綴じ片の間に紙葉類を位置づけ、一方の綴じ片に基端部を接続した綴じ足の先端部を紙葉類に設けた綴穴及び他方の綴じ片に設けた綴じ足挿通部に挿し通すことによって、綴じ片間に紙葉類を挟み込むようにしたものであって、
前記綴じ足を、延伸方向に並行な折線に沿って少なくとも一部を折り曲げた状態で紙葉類を綴じ込むことができ、かつ、綴じ足挿通部を通過させた位置で少なくとも一部を当該綴じ足挿通部の開口よりも大きく拡開させることができ、さらに、パイプ状綴じ杆及びこのパイプ状綴じ杆に挿入されるピン状綴じ杆を具備する他の綴じ具の当該パイプ状綴じ杆内に挿し込んだ状態でそこに綴じ込まれている紙葉類をこの綴じ具に移し替えることができる形態のものにしたことを特徴とする簡易綴じ具。
【請求項８】
綴じ片、綴じ足を始めとして、全ての構成要素が紙製のものであることを特徴とする請求項１〜７記載の簡易綴じ具。
【請求項９】
一枚のシートから綴じ片及び綴じ足を切り起こしていることを特徴とする請求項１〜８記載の簡易綴じ具。
【発明の詳細な説明】
【０００１】
【発明の属する技術分野】
本発明は、主として紙葉類の保存等に好適に利用できる簡易綴じ具に関するものである。
【０００２】
【従来の技術】
従来より、紙葉類を綴じ込む綴じ具として、いわゆるフラットファイル、パイプ式ファイル、リングファイルなど種々の形態のものが開発されている。ところが、これらの金具を使ったものは、値段が高くつく上に分別廃棄にも難があるため、保存目的で頻繁に閲覧する必要がない場合等には、より簡易な綴じ具が求められる。
【０００３】
そこで、近時、綴じ具を紙や樹脂等の素材を用い、極力そのような安価な素材のみによって構成するようにしたものが考えられており、フラットファイルタイプの例として、特許文献１に示すように、特に部品点数の削減のために１枚の樹脂から綴じ足などの各構成部品を切り起こして形成するようにしたものが開発されている。
【０００４】
【特許文献１】
実開昭５５−５７４７８号公報
【０００５】
【発明が解決しようとする課題】
しかしながら、単に綴じ足をシートから切り起こしただけでは、脆弱であることは否めないし、単に綴じ足を綴じ片の孔に挿し込むだけでは、簡単に孔から脱落する可能性があるため綴じ込み状態が不安定になることは避け難い。
【０００６】
このような不具合は、必ずしも１枚のシートから綴じ足など各構成部品を切り起こす場合だけに限らず、別体で構成した綴じ足等を綴じ具本体に貼り付けた場合にも生じ得る。このような不具合は、樹脂よりも一般に脆弱とされる紙で綴じ足等を構成した場合により顕著となる。
【０００７】
本発明は、このような現状に鑑み、構造簡素にして少なくとも保存に必要な機能を備え、かつ保存の便を有効に向上させることができる簡易綴じ具を提供しようとするものである。
【０００８】
【課題を解決するための手段】
本発明は、かかる目的を達成するために、次のような構成を採用したものである。
【０００９】
すなわち、本発明の簡易綴じ具は、一対の綴じ片の間に紙葉類を位置づけ、一方の綴じ片に基端部を接続した綴じ足の先端部を紙葉類に設けた綴穴及び他方の綴じ片に設けた綴じ足挿通部に挿し通すことによって、綴じ片間に紙葉類を挟み込むようにした構造を前提とする。そして、次の３つの構成の何れか１つまたは２つ以上の適宜の組み合わせによって構成される。
【００１０】
１）前記綴じ足を、延伸方向に並行な折線に沿って少なくとも一部を折り曲げた状態で紙葉類を綴じ込むことができる形態のものにする。例えば、延伸方向と直交する断面をＶ字形に折り曲げる態様等が挙げられる。
【００１１】
２）前記綴じ足を、綴じ足挿通部を通過させた位置で少なくとも一部を当該綴じ足挿通部の開口よりも大きく拡開させることができる形態のものにする。例えば、綴じ片にスリットを形成し、折り畳んだ綴じ足を挿し通した後に拡げる態様等が挙げられる。
【００１２】
３）前記綴じ足を、パイプ状綴じ杆及びこのパイプ状綴じ杆に挿入されるピン状綴じ杆を具備する他の綴じ具の当該パイプ状綴じ杆内に挿し込んだ状態でそこに綴じ込まれている紙葉類をこの綴じ具に移し替えることができる形態のものにする。
【００１３】
上記１）の構成によれば、折り曲げた部分が補強されるので、綴じ足を紙その他の比較的脆弱な素材で作っても、その強度を有効に確保することができる。
【００１４】
上記２）の構成によれば、綴じ足の先端部を再び綴じ足挿通部の開口よりも小さく縮めなければ当該綴じ足挿通部から脱落することがないので、綴じ足を紙その他の比較的脆弱な素材で作っても、綴じ込み状態の安定性を有効に確保することができる。
【００１５】
上記３）の構成によれば、他の綴じ具に綴じ込まれている紙葉類を一旦パイプ状綴じ杆から抜き取り、その紙葉類の綴穴に再度この綴じ具の綴じ足を挿し通すといった作業の二度手間が生ずることを回避できるので、保存の便を向上させるとともに、他の綴じ具を簡単に開放可能としてその利用効率を有効に向上させることができる。
【００１６】
本発明の綴じ具をより廉価なものにするためには、綴じ片、綴じ足を始めとして、全ての構成要素を紙製のものとしたり、少なくとも綴じ片及び綴じ足を一枚のシートから切り起こして形成すること等が有効となる。
【００１７】
【発明の実施の形態】
以下、本発明の一実施形態について、図面を参照して説明する。
【００１８】
図１は本実施形態に係る簡易綴じ具本体１の展開平面図である。この実施形態は、１枚の紙のシートから一対の綴じ片２１，４１及び綴じ足４２，４３を切り起こして簡易綴じ具１を構成することができるようにしたものである。
【００１９】
図２は本実施形態に係る簡易綴じ具本体１の斜視図である。具体的には、表表紙２と背表紙３の境界、及び、背表紙３と裏表紙４の境界をそれぞれ画する位置に谷折りの基準となる折線３１、３２を形成し、各折線３１、３２で略直角に谷折り方向に折り曲げることによって、背表紙３を挟んで表表紙２と裏表紙４が対面し得るように構成している。また、各折線３１、３２の長手方向中央部の一定領域を１辺とする矩形状の部分を、当該１辺のみを残して上記と同様、略直角に切り起こすことによって、一対の対向する綴じ片２１、４１を形成し得るようにしている。その際、背表紙３から一方の綴じ片４１にわたり、それらの幅方向に沿って一対の綴じ足４２、４３を所定間隔で切り起こすようにしており、綴じ片２１、４１を起立させた際に綴じ足４２、４３と対向することとなる綴じ片２１側の部位に綴じ足挿通部２２、２３を形成している。この綴じ足挿通部２２、２３は、その開口の幅寸法が綴じ足４２、４３の幅寸法よりも遥かに小さく、当該開口の高さ寸法が綴じ足４２、４３の幅寸法の半幅よりも僅かに大きいスリット状のものであり、綴じ足４２、４３を折り畳まない限りこれらを綴じ足挿通部２２，２３に挿し通せないものである。本実施形態は、各綴じ足４２、４３の幅方向の中心位置に、延伸方向に沿った折線４４、４５を形成し、この折線４４、４５において綴じ足４２、４３を延伸方向と直交する断面がＶ字状をなすように（あるいは少なくとも基端部を除く先端側においてほぼ完全に二つ折りとなるように）折り畳めるようにしており、折り畳んで始めて前記綴じ足挿通部２２、２３に挿し通すことができる設定にしている。また、綴じ足４２，４３の先端は、先尖り形状となっており前記綴じ足挿通部２２、２３および後述する綴じ足挿通部２６、２７やパイプ状綴じ杆５１内へ通しやすくなっている。切り起こす部分、具体的には一対の綴じ片２１、４１の基端部における幅方向両端には、当該基端部から裂け目が生じることを防止する円形状の抜きＰが形成してある。
【００２０】
紙葉類を保管する際の状態を表表紙２の側から見た図３に示すように、紙葉類を最終的に保管する際、挿し通した綴じ足４２、４３の先端部分を挿し通すことのできる矩形状の先端止め部２４、２５を表表紙２における綴じ片２１の隣接位置に形成している。
【００２１】
また、図４は紙葉類を保管する際の状態を裏表紙４の側から見た図であるが、この図からわかるように綴じ足４２、４３の基端部は、表表紙２側へ強く引張られることとなるため、前記綴じ片２１、４１の基端部における幅方向両端と同様、綴じ足４２、４３の基端部における幅方向両端に、当該基端部から裂け目が生じることを防止する円形状の抜きＰが形成してある。
【００２２】
図１のシートには、以上の構造に基づき、切り起こす部分と周辺部位との間（すなわち、綴じ片２１，４１が表表紙２や裏表紙４から分離する部分、綴じ足４２，４３が背表紙３や裏表紙４から分離する部分）に、例えばプレスによって切断部を形成しており、折線（すなわち、表表紙２と背表紙３の境界部分、背表紙３と裏表紙４の境界部分、綴じ足４２，４３の基端部分、さらには、綴じ足４２，４３の幅方向中心部分）は、型押しによって形成されている。
【００２３】
なお、この実施形態の簡易綴じ具は、いわゆるパイプ式ファイルと称される他の綴じ具から簡易に紙葉類を移し替えることができる機能を備えている。すなわち、パイプ式ファイルは、表表紙若しくは裏表紙の一方に一対のパイプ状綴じ杆を備え、他方にこのパイプ状綴じ杆に挿入される一対のピン状綴じ杆を備えて、パイプ状綴じ杆内にピン状綴じ杆を差し込んだ状態で紙葉類を綴じ込み、パイプ状綴じ杆からピン状綴じ杆を抜き取った際に紙葉類の差し替え等ができるように構成されている既知のものである。そして、本実施形態の綴じ足４２，４３のピッチをパイプ式ファイルの一対のパイプ状綴じ杆のピッチに合致させて設け、かつ綴じ足４２，４３の先端を折り畳んだ状態でパイプ状綴じ杆内に挿入できるようにしておき、ピン状綴じ杆を抜き取った状態のパイプ状綴じ杆に対して、本実施形態の綴じ足４２，４３を挿し込み（図５参照）、その状態でパイプ状綴じ杆側に綴じ込まれている紙葉類を移動させることによって（同図（Ａ）→（Ｃ））、紙葉類を綴じ足４２，４３側に移し替えることができるようにしている。
【００２４】
以上のように、この実施形態の簡易綴じ具は、シートから綴じ片２１、４１及び綴じ足４２、４３を切り起こして、綴じ片２１、４１同士を対面させ、綴じ片４１側に設けた綴じ足４２、４３を綴じ片２１側に設けた綴じ足挿通部２２、２３に向かって延伸させた状態で、綴じ片２１、４１間に紙葉類を位置づけ、綴じ足４２、４３の先端部を紙葉類の綴穴及び他方の綴じ片２１の綴じ足挿通部２２、２３に挿し通しすことによって、綴じ片２１、４１間に紙葉類を挟み込むことができるものである。
【００２５】
そして、この実施形態は、前記綴じ足４２、４３を、延伸方向に並行な折線４４、４５に沿って折り曲げた状態で紙葉類を綴じ込むようにしているため、折り曲げた部分を補強することができ、綴じ足４２、４３を本実施形態のように脆弱な紙素材で作っても、その強度を有効に確保することができる。勿論、紙以外にも樹脂シートによって作ることもできるが、この場合にもシート自体は薄肉なものであっても綴じ足等に十分な強度を付与することが可能である。
【００２６】
また、前記綴じ足４２、４３を綴じ足挿通部２２、２３に通過させた位置で、その先端部を指で押し開いて綴じ足４２、４３を当該綴じ足挿通部２２、２３の開口よりも大きく拡開させることができるため、綴じ足４２、４３の先端部を再び綴じ足挿通部２２、２３の開口よりも小さく縮めなければ当該綴じ足挿通部２２、２３から脱落することがなく、綴じ足４２、４３を本実施形態のように紙素材で作っても、綴じ込み状態の安定性を有効に確保することができる。樹脂製のものであっても同様である。
【００２７】
さらに、図５は他の綴じ具５から本実施形態に係る簡易綴じ具本体１に紙葉類６を移し替える際の動作を示した概略図である。まず図５（Ａ）のように、綴じ足４２を、パイプ状綴じ杆５１及び図示しないピン状綴じ杆を具備する他の綴じ具５の当該パイプ状綴じ杆５１内に挿入する。ここで、前述の通り綴じ足４２，４３の先端は、先尖り形状となっているため、パイプ状綴じ杆５１内へ通しやすくなっている。そして、綴じ足４２，４３をパイプ状綴じ杆５１内へ通した後、パイプ状綴じ杆５１の先端が綴じ足４２の基端部に到着するまで差し込む（図５（Ｂ））。次に、綴じ込まれている紙葉類６を本実施形態に係る簡易綴じ具本体１側に移動させ、パイプ状綴じ杆５１を紙葉類６より引き抜く（図５（Ｃ））。このようにすれば、他の綴じ具５に綴じ込まれている紙葉類６を一旦パイプ状綴じ杆５１から抜き取り、その紙葉類６の綴穴６１に再度この本実施形態に係る簡易綴じ具本体１の綴じ足４２を挿し通すといった作業の二度手間が生ずることがなく、他の綴じ具５の当該パイプ状綴じ杆５１内に挿し込んだ状態でそこに綴じ込まれている紙葉類６をこの本実施形態に係る簡易綴じ具本体１に移し替えることができる。
【００２８】
加えて、綴じ片２１、４１、綴じ足４２、４３を始めとして、全ての構成要素を紙製のものとしており、また、綴じ片２１、４１や綴じ足４２、４３等を全て一枚のシートから切り起こして形成しているため、この簡易綴じ具の製造コストを有効に削減して、廉価に提供することが可能となる。
【００２９】
なお、各部の具体的な構成は、上述した実施形態のみに限定されるものではない。
【００３０】
例えば、綴じ足を折り曲げた状態で紙葉類を綴じ込む態様は、当該綴じ足がシートから切り起こして形成されている場合に限らず、別体の綴じ足をシートに外付けする場合にも強度向上を目的として同様に適用することができる。勿論、綴じ足を綴じ足挿通部に挿し通した後に拡開させる態様を採用するか否かとは直接には関係がない。
【００３１】
逆に、綴じ足を綴じ足挿通部に挿し通した後に拡開させる態様は、綴じ足を折り曲げた状態で紙葉類を綴じ込む場合に限らず、綴じ足を折り曲げない状態で紙葉類を綴じ込む場合にも抜け止めを目的として同様に適用することができる。勿論、綴じ足がシートから切り起こして形成されているか否かによらない。
【００３２】
綴じ足は、切り起こして折り返し、多重構造としたり、別体の素材を外付けして多重構造にすること等も有効である。
【００３３】
さらに、上記実施形態は、裏表紙側に綴じ足を設け、表表紙側に綴じ足挿通部を設けているが、表表紙側に綴じ足を設け、裏表紙側に綴じ足挿通部を設けても勿論かまわない。綴じ足の数は２本に限らない。
【００３４】
また、本発明に係る別の実施形態として、図６、７に示すようなものも挙げられる。このものは、前記綴じ足挿通部２２、２３と略同様の箇所に略Ｔ字型の形状をしたスリットである綴じ足挿通部２６、２７を設け、綴じ足４２、４３に代えて、形状を途中幅方向に括れさせた綴じ足４６、４７を設けたものである。このようにすれば、まず、綴じ足４６、４７を他方の綴じ片２１に通す際、綴じ足挿通部２６、２７の開放端から折り畳んだ状態で綴じ足４６、４７を挿し込み、所定位置で綴じ足４６、４７を開くことにより、その位置に抜け止め状態で綴じ足４６、４７を固定することができる。このようなものであれば、綴じ足４６、４７の先端を小さな穴に通すというような、手先の細かさを求める作業が削除され、簡単に綴じ足４６、４７を綴じ足挿通部２６，２７に結果的に挿し通すことができるため、作業労力の軽減及び作業時間の短縮といった効果を奏することができる。また、図示のように綴じ足挿通部２６、２７の開放端にテーパ状の切欠２８、２９をそれぞれ設けるようにすれば、使用者はより簡単に綴じ足４６、４７を綴じ足挿通部２６，２７に挿通させることができる。
【００３５】
その他、各部の具体的な構成は、上述した実施形態のみに限定されるものではなく、本発明の趣旨を逸脱しない範囲で種々変形が可能である。
【００３６】
【発明の効果】
本発明は、以上説明した構成であるから、廉価な簡易綴じ具として提供することができ、使用済み紙葉類を保存するコストを有効に削減することが可能となる。その保存状態も、簡単な構造であっても綴じ足が容易に脱落することを防止して安定なものにすることができ、通常の綴じ具からこの簡易綴じ具への紙葉類の移し替えの便も有効に向上させることが可能となる。
【図面の簡単な説明】
【図１】本発明の一実施形態に係る簡易綴じ具の展開平面図。
【図２】同実施形態に係る簡易綴じ具の斜視図。
【図３】同実施形態に係る簡易綴じ具を表表紙側から見た斜視図。
【図４】同実施形態に係る簡易綴じ具を裏表紙側から見た斜視図。
【図５】同実施形態の取り扱い説明図。
【図６】本発明の他の実施形態に係る簡易綴じ具の主要部の展開平面図。
【図７】同実施形態に係る簡易綴じ具の主要部の斜視図。
【符号の説明】
１…簡易綴じ具本体
２１、４１…綴じ片
２２、２３、２６、２７…綴じ足挿通部
４２、４３、４６、４７…綴じ足
４４、４５…延伸方向に並行な折線
５…他の綴じ具
５１…パイプ状綴じ杆
６…紙葉類
６１…綴穴
【図１】
2004255750.tif 000003
【図２】
2004255750.tif 000004
【図３】
2004255750.tif 000005
【図４】
2004255750.tif 000006
【図５】
2004255750.tif 000007
【図６】
2004255750.tif 000008
【図７】
2004255750.tif 000009